(57)【要約】【課題】クッション性と接着強度とを両立することが可能な中底構造を提供する。【解決手段】前側の上面が足裏の前側に対向し、後側の上面が足裏の踵に対向する履物の中底構造であって、前後方向に延びる面を上面側に有する上底部１１と、上底部１１の外周全域に亘って設けられ、上面側へ隆起し、上面側に接着対象物を接着可能な接着可能面を有する側壁部２０と、を備える。接着可能面は、側壁部２０の前後方向の中央と前端側の端部との間に拡幅領域２４ｂを備える。この拡幅領域２４ｂは、当該拡幅領域２４ｂの前後における接着可能面の幅よりも幅が広くなっている。【選択図】      図２
2018000576.tif 000002
【特許請求の範囲】
【請求項１】
前側の上面が足裏の前側に対向し、後側の上面が足裏の踵に対向する履物の中底構造であって、
前後方向に延びる面を前記上面側に有する上底部と、
前記上底部の外周全域に亘って設けられ、前記上面側へ隆起し、前記上面側に接着対象物を接着可能な接着可能面を有する側壁部と、を備え、
前記接着可能面は、前記側壁部の前後方向の中央と前端側の端部との間に拡幅領域を備え、前記拡幅領域は、当該拡幅領域の前後における前記接着可能面の幅よりも幅が広くなっている、中底構造。
【請求項２】
前記接着可能面は、前記上底部の全周に亘って幅が均等な基準幅である基準幅領域を有し、
前記拡幅領域は、前記基準幅領域から前記側壁部の内周側へ突出している、請求項１に記載の中底構造。
【請求項３】
前記拡幅領域の前記基準幅領域との境界の長さは、前記拡幅領域の幅に前記基準幅を加えたものよりも大きい、請求項２に記載の中底構造。
【請求項４】
前記拡幅領域の幅は、前記拡幅領域の前後端のそれぞれから漸増するものであり、
前記拡幅領域の後端の位置は、前後方向の中央よりも前端側である、請求項１〜３のいずれか１項に記載の中底構造。
【請求項５】
前記拡幅領域は、前記側壁部の左右の両側に設けられており、
前記拡幅領域の幅が最大となる前後方向における位置は、左右のそれぞれで異なっている、請求項１〜４のいずれか１項に記載の中底構造。
【請求項６】
前記側壁部と前記上底部により区画される空間に挿入されるクッション部材を備え、
前記クッション部材は、前記上底部よりも厚み方向の柔軟性が高く形成されており、
前記接着可能面には、前記クッション部材及び当該接着可能面を上方から覆うカバー部材が接着されている、請求項１〜５のいずれか１項に記載の中底構造。
【請求項７】
前記上底部は、前後方向の中央よりも前端側、及び前後方向の中央よりも後端側の少なくとも一方に、底方向へと陥没した陥没部を備える、請求項１〜６のいずれか１項に記載の中底構造。
【請求項８】
前記陥没部は、前後方向において、前記拡幅領域の少なくとも一部を含む範囲に設けられる、請求項７に記載の中底構造。
【請求項９】
前側の上面が足裏の前側に対向し、後側の上面が足裏の踵に対向する履物の中底構造であって、
前後方向に延びる面を前記上面側に有する上底部と、
前記上底部の外周全域に亘って設けられ、前記上面側へ隆起し、前記上面側に接着対象物を接着可能な接着可能面を有する側壁部と、を備え、
前記上底部は、前後方向の中央よりも前端側、及び、前後方向の中央よりも後端側の少なくとも一方に、底方向へと陥没した陥没部を備える、中底構造。
【請求項１０】
請求項１〜９のいずれか１項に記載の中底構造を備える履物。
【発明の詳細な説明】
【技術分野】
【０００１】
本発明は、履物の中底構造に関する。
【背景技術】
【０００２】
従来、靴等の履物の中底構造として、靴の前端側から後端側へと延びるクッション部材を設け、足裏全体に対するクッション性能を付与することが行われている（特許文献１参照）。特許文献１に記載の中底構造では、底板にクッション部材を設け、そのクッション部材の表面をカバー部材で覆っている。底板とカバー部材との接着面は、クッション部材の外周を囲むように設けられている。
【先行技術文献】
【特許文献】
【０００３】
【特許文献１】特許第３６１５５３２号公報
【発明の概要】
【発明が解決しようとする課題】
【０００４】
特許文献１のごとく、底板の外周にカバー部材を接着する場合、接着強度が問題となり得る。接着強度を高めるためには、底板とカバー部材との接着面を大きくすればよいが、接着面は硬質の部材である底板に設けられることから、単に接着面を大きくするのみでは、クッション性を低下させる要因となり得る。
【０００５】
本発明は、上記課題を解決するためになされたものであり、その主たる目的は、クッション性と接着強度とを両立することが可能な中底構造を提供することにある。
【課題を解決するための手段】
【０００６】
第１の発明は、前側の上面が足裏の前側に対向し、後側の上面が足裏の踵に対向する履物の中底構造であって、前後方向に延びる面を前記上面側に有する上底部と、前記上底部の外周全域に亘って設けられ、前記上面側へ隆起し、前記上面側に接着対象物を接着可能な接着可能面を有する側壁部と、を備え、前記接着可能面は、前記側壁部の前後方向の中央と前端側の端部との間に拡幅領域を備え、前記拡幅領域は、当該拡幅領域の前後における前記接着可能面の幅よりも幅が広くなっている。
【０００７】
中底として側壁部を有するものを用いる場合、中底への接着対象物の接合は、側壁部の上面側の接着可能面に対して接着対象物を接着することにより行われる。このように中底へ接着対象物を接着する場合には、接着部分の剥がれを抑制することが必要である。接着部分の剥がれは、主に、歩行時に中底の屈曲が行われることに起因する。すなわち、中底の前端側の端部と中央との間に中足趾節間接が位置し、その中足趾節間接で屈曲が行われるため、接着部分の剥がれが生じやすくなる。上記構成では、接着可能面において屈曲が連続して行われる箇所である、前端側の端部と中央との間に、拡幅領域を設けている。この構造により、上記構成に係る中底構造を有する履物は、屈曲が連続して行われる箇所において、接着可能面と接着対象物との接着面積を大きくすることができ、接着力を向上させることができる。したがって、屈曲が連続して行われたとしても、接着対象物の剥がれを抑制することができる。
【０００８】
第２の発明は、前側の上面が足裏の前側に対向し、後側の上面が足裏の踵に対向する履物の中底構造であって、前後方向に延びる面を前記上面側に有する上底部と、前記上底部の外周全域に亘って設けられ、前記上面側へ隆起し、前記上面側に接着対象物を接着可能な接着可能面を有する側壁部と、を備え、前記上底部は、前後方向の中央よりも前端側、及び、前後方向の中央よりも後端側の少なくとも一方に、底方向へと陥没した陥没部を備える。
【０００９】
中底に側壁部を設け、その側壁部の内周側にクッション部材を挿入してクッション性を得る場合、中底への接着対象物の接合は、側壁部の上面側の接着可能面に対して接着対象物を接着することにより行われる。このような構成では、接着力を確保しようとすれば、接着可能面の面積を広くすればよいが、接着可能面の面積を広くすれば、クッション部材を挿入するスペースが小さくなり、クッション性が低下するおそれがある。上記構成では、上底部に陥没部を設けているため、その陥没部にもクッション部材を挿入することができる。したがって、陥没部が設けられる箇所において、より高いクッション性能を得ることができる。また、クッション性能を高めることができることから、接着可能面の面積を広くしたとしても、クッション性能を担保することができる。
【図面の簡単な説明】
【００１０】
【図１】第１実施形態に係る底部材の斜視図である。
【図２】底部材の平面図である。
【図３】底部材の底面図である。
【図４】底部材の正面図である。
【図５】底部材の背面図である。
【図６】底部材の左側面図である。
【図７】底部材の右側面図である。
【図８】底部材のＡ−Ａ断面図である。
【図９】底部材のＢ−Ｂ断面図である。
【図１０】底部材のＣ−Ｃ断面図である。
【図１１】クッション部材の写真である。
【図１２】底部材にクッション部材を挿入した場合のＡ−Ａ断面図である。
【図１３】第２実施形態に係る底部材の平面図である。
【図１４】底部材のＤ−Ｄ断面図である。
【図１５】底部材のＥ−Ｅ断面図である。
【図１６】底部材のＦ−Ｆ断面図である。
【図１７】底部材のＧ−Ｇ断面図である。
【図１８】底部材に第１、第２クッション部材を挿入した場合のＤ−Ｄ断面図である。
【発明を実施するための形態】
【００１１】
以下、各実施形態を図面に基づいて説明する。なお、以下の各実施形態相互において、互いに同一もしくは均等である部分には、図中、同一符号を付しており、同一符号の部分についてはその説明を援用する。
【００１２】
＜第１実施形態＞
本実施形態に係る底部材１０を図１〜１０を用いて説明する。底部材１０は、２３．５ｃｍの大人の女性用の靴（パンプス）の中底構造の一部として用いられるものであり、上面側が人間の足に対向する中底として機能し、底面側が地面と接触する靴底として機能する。図１〜１０では、左足用の底部材１０を示している。右足用の底部材１０の形状は左足用の底部材１０と左右対称の形状であるため、図示及び詳細な説明を省略する。
【００１３】
本明細書では、使用時の人間の足の前後方向を底部材１０の前後方向と定義する。すなわち、足の爪先側を底部材１０の前端側と定義し、足の踵側を底部材１０の後端側と定義する。使用時に人間の足の裏に対向する側を上面とし、その反対側、すなわち地面側を底面とする。
【００１４】
底部材１０は、弾性を有する樹脂、例えばウレタン系のエラストマにより形成されており、金型を使った射出成型により一体成型されている。底部材１０は、人間の足裏に対向する上側に上底部１１を有している。上底部１１の外形は、概ね人間の足裏の外形に沿った形状である。上底部１１の表面は、後端側から前端側へと高さが漸減しており、左右方向では高さは概ね一定となっている。上底部１１の表面には凹凸は設けられていない。
【００１５】
この上底部１１の外周全域には、側壁部２０が設けられている。この側壁部２０の上面は傾斜が設けられているものの、凹凸は設けられておらず、接着対象物を接着可能な接着可能面となっている。この側壁部２０は、基準幅部２１を含んでいる。この基準幅部２１の上面は、上底部１１に対して平行な面であり、幅が均等な基準幅Ｗ１である基準幅領域２１ｂである。基準幅Ｗ１は、本実施形態では１０ｍｍとしている。この基準幅領域２１ｂは、接着可能面の一部を構成している。
【００１６】
基準幅部２１の内周面２１ａの一部は、側壁部２０の内周面を構成している。この内周面２１ａは、上底部１１に対して垂直な面である。基準幅部２１の外周には、上方向へと隆起した枠部２１ｃが設けられている。この基準幅部２１の外周面全体は、側壁部２０の外周面全体を構成している。
【００１７】
側壁部２０の後端側において、基準幅部２１の内周面２１ａ側には、基準幅部２１と一体に形成され、内周側へむけて拡幅された後端側拡幅部２２が設けられている。後端側拡幅部２２の内周面２２ａは、側壁部２０の内周面２１ａと連続した曲面を構成しており、側壁部２０の内周面２１ａと同様に、上底部１１に対して垂直な面である。後端側拡幅部２２の上面である後端側拡幅領域２２ｂは、接着可能面の一部を構成し、基準幅部２１の上面である基準幅領域２１ｂと面一となっている。後端側拡幅領域２２ｂの幅は、左右の両側から後端側拡幅領域２２ｂの中央近傍へ向かって漸増し、後端側拡幅領域２２ｂの中央近傍で最大となる。したがって、したがって、後端側拡幅領域２２ｂが設けられる範囲における接着可能面の幅は、左右の端部位置において基準幅Ｗ１であり、後端側の中央近傍に向けて基準幅Ｗ１から漸増し、後端側の中央近傍で後端側最大幅Ｗ２となる。
【００１８】
この後端側最大幅Ｗ２は、大きくするほど後端側拡幅領域２２ｂの面積が大きくなるため、後端側拡幅領域２２ｂと接着対象物との接着力を向上させることができる。一方、後端側最大幅Ｗ２を大きくするほど、側壁部２０に囲まれる空間が狭まり、その空間にクッション部材を挿入する場合等に、クッション性を十分に確保できなくなる可能性がある。そのため、後端側最大幅Ｗ２は、基準幅Ｗ１の１．３〜２倍程度であることが好ましい。本実施形態では、後端側最大幅Ｗ２を基準幅Ｗ１の１．５倍である１５ｍｍとしている。
【００１９】
側壁部２０の前端側において、基準幅部２１の内周面２１ａ側には、基準幅部２１と一体に形成され、内周側へ向けて拡幅された前端側拡幅部２３が設けられている。前端側拡幅部２３の内周面２３ａは、基準幅部２１の内周面２１ａと連続した曲面を構成しており、基準幅部２１の内周面２１ａと同様に、上底部１１に対して垂直な面である。前端側拡幅部２３の上面である前端側拡幅領域２３ｂは、接着可能面の一部を構成し、基準幅部２１の上面である基準幅領域２１ｂと面一となっている。前端側拡幅領域２３ｂの幅は、左右の両側から前端側拡幅領域２３ｂの中央近傍へ向かって漸増し、前端側拡幅領域２３ｂの中央近傍で最大となる。したがって、前端側拡幅領域２３ｂが設けられる範囲における接着可能面の幅は、左右の端部位置において基準幅Ｗ１であり、前端側の中央近傍に向けて基準幅Ｗ１から漸増し、前端側の中央近傍で前端側最大幅Ｗ３となる。
【００２０】
この前端側最大幅Ｗ３は、後端側最大幅Ｗ２と同様に、大きくするほど接着対象物との接着面積が向上するものの、大きくするほどクッション性を十分に確保できなくなる可能性がある。そのため、前端側最大幅Ｗ３は、基準幅Ｗ１の１．５〜３倍程度であることが好ましい。本実施形態では、前端側最大幅Ｗ３を基準幅Ｗ１の２．２倍である２２ｍｍとしている。前端側最大幅Ｗ３を後端側最大幅Ｗ２よりも大きく設定しているのは、前端側拡幅領域２３ｂに対向するのは足指の先端であり、踵ほどクッション性を必要としないためである。
【００２１】
側壁部２０の前後方向の中央と前端側拡幅部２３との間において、左右の両側には、基準幅部２１と一体に形成され、基準幅部２１から内周側へと突出した側方拡幅部２４が設けられている。側方拡幅部２４の内周面２４ａは、基準幅部２１の内周面２１ａと連続した曲面を構成しており、基準幅部２１の内周面２１ａと同様に、上底部１１に対して垂直な面である。側方拡幅部２４の上面である側方拡幅領域２４ｂは、接着可能面の一部を構成し、基準幅部２１の上面である基準幅領域２１ｂと面一となっている。
【００２２】
側方拡幅部２４の後端側は、側壁部２０の前後方向の中央よりも前端側で突出を開始し、側方拡幅部２４の前端側は、前端側拡幅部２３よりも後端側で突出を開始する。この側方拡幅部２４の幅が最大となる位置は、前端側の突出開始位置と後端側の突出開始位置との略中央である。したがって、側壁部２０の上面の幅は、側方拡幅部２４の前後の突出開始位置において基準幅Ｗ１であり、側方拡幅部２４の中央近傍に向けて基準幅Ｗ１から漸増し、前端側の中央近傍で側方最大幅Ｗ４となる。この側方拡幅部２４の前後方向の長さすなわち、基準幅領域２１ｂと側方拡幅領域２４ｂとの境界の長さは、側方最大幅Ｗ４よりも大きい。したがって、側方拡幅領域２４ｂは、上面視で、前後方向に長い領域となっている。
【００２３】
この側方最大幅Ｗ４は、後端側最大幅Ｗ２、前端側最大幅Ｗ３と同様に、大きくするほど接着対象物との接着面積が向上するものの、大きくするほどクッション性を十分に確保できなくなる可能性がある。そのため、側方最大幅Ｗ４は、基準幅Ｗ１の１．３〜２倍程度であることが好ましい。本実施形態では、前端側最大幅Ｗ３を基準幅Ｗ１の１．５倍である１５ｍｍとしている。
【００２４】
この側方拡幅部２４は、上述した通り、側壁部２０の内周側の左右それぞれに設けられている。これら側方拡幅部２４の上面である側方拡幅領域２４ｂの幅が最大となる箇所は、図２に示すように、前後方向にずれている。より具体的には、右側の側方拡幅領域２４ｂにおける幅が最大となる箇所は、左側の側方拡幅領域２４ｂにおける幅が最大となる箇所よりも前端側に設けられている。すなわち、右側の側方拡幅領域２４ｂの前端側の突出開始位置は、左側の側方拡幅領域２４ｂの前端側の突出開始位置よりも前端側であり、且つ、右側の側方拡幅領域２４ｂの後端側の突出開始位置は、左側の側方拡幅領域２４ｂの後端側の突出開始位置よりも前端側である。
【００２５】
このように側方拡幅部２４を設けているため、側方拡幅領域２４ｂの幅が最大となる箇所の近傍に、足の中足趾節間接が対向することとなる。すなわち、足の中足趾節間接の前後方向の位置は、親指側（左足であるならば右側）のほうが小指（左足であるならば左側）よりも爪先側（前端側）に位置している。したがって、右側の側方拡幅領域２４ｂにおける幅が最大となる箇所を、左側の側方拡幅領域２４ｂにおける幅が最大となる箇所よりも前端側に設けているため、足の親指側及び小指側のそれぞれで、中足趾節間接が側方拡幅領域２４ｂに対向することとなる。
【００２６】
側壁部２０が以上のように設けられているため、上底部１１と側壁部２０の内周面とにより囲まれる空間である凹部３１の形状は、側壁部２０の後端側拡幅部２２側では、側壁部２０の外周面に沿ったものとなる。前端側拡幅部２３側へ向かうにつれ幅が側壁部２０の外周面に沿って広くなり、内周側へと突出した側方拡幅部２４により、凹部３１の幅は一旦狭くなる。凹部３１の幅は、側方拡幅部２４の最も幅が広い箇所から前端側拡幅部２３側へ向けて漸増した後に漸減し、前端側拡幅部２３へ到達する。
【００２７】
底部材１０の裏側の面である下底部１２には、滑り止め部材１３が設けられている。滑り止め部材１３は、底部材１０よりも弾性の高く、且つ、摩擦係数の高い材料、例えば合成ゴムで形成されている。
【００２８】
以上のように構成される底部材１０に対して、クッション性を向上すべく、上底部１１と側壁部２０により区画される空間である凹部３１には、図１１に示すクッション部材４１が挿入される。このクッション部材４１は、中底構造の一部を構成する部材である。クッション部材４１は、ポリエステル系の中空繊維を捲縮加工し、上下方向から均一な厚みとなるように圧縮したうえで、接着剤により成型したものである。このクッション部材４１を製造するうえで、厚みを均一としなければ中空繊維の密度に差が生じ、クッション性能に差が出る。すなわち、クッション部材４１の厚みを均一とすることで、クッション部材４１全体のクッション性能を略均一としている。
【００２９】
クッション部材４１の外形は、側壁部２０の内周面の形状に略等しい形状であり、クッション部材４１の厚みは、側壁部２０の内周面の高さに略等しい。すなわち、側壁部２０と上底部１１とにより囲まれる空間である凹部３１に収まる形状となっている。
【００３０】
図１２に示すように、クッション部材４１が底部材１０の凹部３１に収容された後、クッション部材４１全体を上側から覆うようにカバー部材５１が被せられる。このカバー部材５１の外形は、側壁部２０の上面の外周形状と同じ形状である。すなわち、側壁部２０の外周に設けられた枠部２１ｃ内に収まる形状である。カバー部材５１は側壁部２０の上面である接着可能面に対して、接着剤により接着される。なお、カバー部材５１は、通気性の高い繊維、例えば、メッシュ状の繊維により形成されている。
【００３１】
クッション部材４１の上面がカバー部材５１に覆われ、カバー部材５１と側壁部２０の上面とが接着されたあと、カバー部材５１の上面に、履物のアッパー部材（図示せず）が接着される。
【００３２】
以上のよう構成される底部材１０は、以下の効果を奏する。
【００３３】
・底部材１０として側壁部２０を有するものを用いる場合、底部材１０への接着対象物（カバー部材５１）の接合は、側壁部２０の上面に対して接着対象物を接着することにより行われる。このように底部材１０へ接着対象物を接着する場合には、接着部分の剥がれを抑制することが必要である。接着部分の剥がれは、主に、歩行時に底部材１０の屈曲が行われることに起因することが多い。すなわち、底部材１０の前端と中央との間に足の中足趾節間接が位置し、その中足趾節間接の屈曲により、接着部分の剥がれが生じやすくなる。本実施形態では、側壁部２０において屈曲が連続して行われる箇所である、前端側拡幅部２３と中央との間に、側方拡幅部２４を設けている。そして、側方拡幅部２４の上面である側方拡幅領域２４ｂを、接着可能面の一部としている。この構造により、本実施形態に係る底部材１０を有する履物は、屈曲が連続して行われる箇所において、底部材１０と接着対象物との接着面積を大きくすることができ、それにより、側壁部２０の上面である接着可能面と接着対象物との接着力が増大する。したがって、屈曲が連続して行われたとしても、接着対象物の剥がれを抑制することができる。
【００３４】
・側方拡幅部２４を側壁部２０の内周側に突出するものとしているため、側方拡幅部２４を設けることによる底部材１０の外形への影響を抑制できる。したがって、側方拡幅部２４を設けたとしても、底部材１０の意匠性を担保することができる。
【００３５】
・側方拡幅領域２４ｂの前後方向の長さを、側方拡幅領域２４ｂの幅が最大である箇所における側壁部２０の上面の幅である側方最大幅Ｗ４よりも大きくしている。すなわち、側方拡幅領域２４ｂを、前後方向に長い領域としている。これにより、側方拡幅領域２４ｂでの接着面積を大きくしつつ、左右両側の側方拡幅部２４に挟まれる空間の幅を十分に確保することができる。したがって、側方拡幅領域２４ｂによる接着力の確保と、空間に挿入されるクッション部材４１のクッション性とを両立させることができる。
【００３６】
・上底部１１の形状は、前後方向の中央、すなわち、足裏の土踏まずに対向する位置近傍から、後端に向けて狭まる形状である。この点、本実施形態では、側方拡幅部２４の突出開始位置を前後方向の中央よりも前端側としているため、前後方向の中央よりも後端は側方拡幅部２４によって狭められることがない。これにより、前後方向の中央よりも後端側において、クッション部材４１を挿入する空間を十分に設けることができ、側方拡幅部２４の上面の側方拡幅領域２４ｂによる接着力の確保と、クッション部材４１のクッション性とを両立させることができる。
【００３７】
・側方拡幅領域２４ｂの左右のそれぞれにおいて、幅が最大となる位置を異ならせているため、側方拡幅部２４を左右の両側に設けることに起因するその側方拡幅部２４の間の空間の狭まりを、抑制することができる。
【００３８】
・部材どうしを接着する場合、剥がれは、端部側から生ずる。本実施形態では、前端側最大幅Ｗ３、及び後端側最大幅Ｗ２を、基準幅Ｗ１より大きくしているため、剥がれの生じやすい箇所において、接着面積をより大きくすることができる。したがって、側壁部２０の上面に張り付けられるカバー部材５１との接着力をより強くすることができる。
【００３９】
・側壁部２０の上面の幅について、側方拡幅部２４で一旦大きくした後、前端側拡幅部２３に向かうにつれ、一旦小さくしている。これにより、側方拡幅部２４よりも前端側において、クッション部材４１の幅を大きくすることができる。側方拡幅部２４よりも前端側には、足指が位置することになるため、この構造により足指全体がクッション部材４１の上に載ることとなる。したがって、歩行時に、足指からクッション部材４１を介して地面に対して適度な反発力を伝えることができ、よりスムーズな歩行が可能となる。
【００４０】
＜第２実施形態＞
本実施形態に係る底部材１００は、第１実施形態と同様に、中底構造の一部として用いられるものであり、第１実施形態と構造の一部が異なっている。本実施形態に係る底部材１００について、図１３〜１７を参照して説明する。なお、右側面図、左側面図、正面図、背面図、及び底面図については、第１実施形態と同様であるため、図示及び説明を省略する。
【００４１】
底部材１００は、人間の足裏に対向する上側に上底部１１１を有している。上底部１１１は、概ね人間の足裏の外形に沿った形状である。上底部１１の表面は、後端側から前端側へと高さが漸減しており、左右方向では高さは概ね一定となっている。
【００４２】
この上底部１１１の全周を囲うように、側壁部１２０が設けられている。この側壁部２０は、第１実施形態と同様に、基準幅部１２１、後端側拡幅部１２２、前端側拡幅部１２３、及び側方拡幅部１２４を含んで構成されている。これらの上面は、第１実施形態と同様に、基準幅領域１２１ｂ、後端側拡幅領域１２２ｂ、前端側拡幅領域１２３ｂ、及び側方拡幅領域１２４ｂとなっており、接着可能面を構成している。これらの具体的構成及び寸法は、第１実施形態と同等であるため、具体的な説明を省略する。
【００４３】
上底部１１１において、前後方向の中央近傍から前端近傍にかけて、その前後よりも深く形成された第１陥没部１３２が設けられている。この第１陥没部１３２の周面は、上底部１１１に対して垂直に形成されている。この第１陥没部１３２が設けられる前後方向の範囲には、左右の両側の側方拡幅部１２４の、幅が最大となる部分が含まれている。
【００４４】
上底部１１１において、後端側には、その前後よりも深く形成された第２陥没部１３３が形成されている。この第２陥没部１３３の周面は、上底部１１１に対して垂直に形成されている。また、第２陥没部１３３の深さは、第１陥没部１３２よりも深い。これは、底部材１０の上下方向の厚みが、後端側のほうが厚いためである。
【００４５】
底部材１００の裏側の面である下底部１１２には、第１実施形態と同様に、滑り止め部材１１３が設けられている。
【００４６】
側壁部１２０と上底部１１１とにより区画される空間である凹部１３１には、図１８に示すように、第１実施形態におけるクッション部材４１と同じ素材であり且つ同じ形状である、第１クッション部材１４１が挿入される。すなわち、第１クッション部材１４１は、厚みに変化を持たせることが困難な部材である。
【００４７】
第１陥没部１３２及び第２陥没部１３３には、第１クッション部材１４１と異なる材料、例えば、ウレタンで形成された第２クッション部材１４２，１４３が挿入される。この第２クッション部材１４２，１４３の外形は、それぞれ第１陥没部１３２、第２陥没部１３３と等しく、且つ、高さは、第１陥没部１３２、第２陥没部１３３の深さと等しい。したがって、第１陥没部１３２、第２陥没部１３３に第２クッション部材１４２，１４３を挿入し、凹部１３１に第１クッション部材１４１を挿入すれば、第２クッション部材１４２，１４３の底面は第１陥没部１３２、第２陥没部１３３の底に接し、第２クッション部材１４２，１４３の上面は、第１クッション部材１４１の底面に接する。
【００４８】
以上のように第１クッション部材１４１及び第２クッション部材１４２，１４３が挿入されたあとに、第１実施形態と同様に、図１８に示すように、側壁部１２０の上面にカバー部材１５１が接着される。また、カバー部材１５１の上面には、図示しないアッパー部材が接着される。
【００４９】
上記構成により、本実施形態に係る底部材１００は、第１実施形態に係る底部材１０が奏する効果に加えて、以下の効果を奏する。
【００５０】
・上底部１１１に設けられた第１陥没部１３２、第２陥没部１３３に第２クッション部材１４２，１４３を挿入しているため、歩行時により負荷がかかる中足趾節間接近傍、及び踵のクッション性能を高めることができる。
【００５１】
・第１クッション部材１４１として、ポリエステル系捲縮繊維を用いる場合、ポリエステル系捲縮繊維は、一般的に、厚みが均一なものとして製造されるため、クッション性能に差を設けることが困難である。本実施形態では、上底部１１１に設けられた第１陥没部１３２、第２陥没部１３３に第２クッション部材１４２，１４３を挿入するものとしているため、第１陥没部１３２、第２陥没部１３３が設けられている箇所におけるクッション性能は、第１陥没部１３２、第２陥没部１３３が設けられていない箇所におけるクッション性能よりも高くなる。したがって、第１クッション部材１４１として、ポリエステル系捲縮繊維のような、厚みに変化を設けることが困難な部材を採用したとしても、クッション性能に差を設けることができる。
【００５２】
・底部材１００に側壁部１２０を設け、その側壁部１２０の内周面側に第１クッション部材１４１を挿入してクッション性を得る場合、底部材１００への接着対象物（カバー部材１５１）の接合は、側壁部１２０の上面である接着可能面に対して接着対象物を接着することにより行われる。このような構成では、接着力を確保しようとすれば、接着可能面の面積を広くすればよいが、接着可能面の面積を広くすれば、第１クッション部材１４１を挿入するスペースが小さくなり、クッション性が低下するおそれがある。本実施形態では、上底部１１１に第１陥没部１３２、第２陥没部１３３を設けているため、その第１陥没部１３２、第２陥没部１３３に第２クッション部材１４２を挿入することができる。したがって、第１陥没部１３２、第２陥没部１３３が設けられる箇所において、より高いクッション性能を得ることができる。また、クッション性能を高めることができることから、接着可能面の面積を広くしたとしても、クッション性能を担保することができる。
【００５３】
・底部材１００に陥没部を設ける場合、特に、厚みが薄くなる前端側では強度が低下する。この点、本実施形態では、第１陥没部１３２を側方拡幅部１２４の一部を含む範囲に設けているため、第１陥没部１３２を設けることによる強度の低下を、側方拡幅部１２４により補うことができる。
【００５４】
＜変形例＞
・実施形態では、側壁部２０，１２０に設けられた側方拡幅部２４，１２４について、側壁部２０，１２０の内周面側に突出するものとしたが、側壁部２０，１２０の外周面側に突出するものとしてもよい。こうすることで、クッション部材４１，１４１の面積を大きくすることができ、側壁部２０，１２０を用いて接着対象物と接着する際の接着力を向上させつつ、クッション性をさらに向上させることができる。
【００５５】
・各部材の材料は、実施形態で示したものに限られない。特に、各実施形態において、クッション部材４１，１４１としてポリエステル系の繊維を捲縮加工したものを採用したが、他の材料によりクッション部材４１，１４１を形成してもよい。例えば、内部に気体または液体が充填された袋をクッション部材４１，１４１として用いてもよいし、ウレタンなどの高反発材料をクッション部材４１，１４１として用いてもよい。すなわち、クッション部材４１，１４１が上底部１１，１１１よりも柔軟な材料で形成されていればよい。また、クッション部材４１，１４１の柔軟性について、厚み方向（上下方向）の柔軟性が上底部１１，１１１よりも高ければ、クッション性を得ることができるということもできる。
【００５６】
・側壁部２０，１２０と底部１１，１１１とを一体成型せず、底部１１，１１１と側壁部２０，１２０とを別体に成型し、底部１１，１１１と側壁部２０，１２０とを貼り合わせるものとしてもよい。この場合には、側壁部２０，１２０に側方拡幅部２４，１２４が設けられおり、前端側拡幅部２３，１２３及び後端側拡幅部２２，１２２の幅が他の部分よりも大きいため、側方拡幅部２４，１２４、前端側拡幅部２３，１２３、及び後端側拡幅部２２，１２２により、より強固に接着することができる。
【００５７】
・底部材１０，１００に側壁部２０，１２０と上底部１１，１１１とを設けるうえで、上面が平坦な底部材を設け、各実施形態で示した側壁部２０，１２０が形成されるように、空間をくり抜いてもよい。
【００５８】
・各実施形態において、側壁部２０，１２０の高さを均一なものとした。この点、クッション部材４１，１４１を厚みに変化を持たせることが可能な材料により形成する場合には、側壁部２０，１２０の高さは均一なものでなくてもよい。
【００５９】
・側方拡幅部２４，１２４について、左側面と右側面との一方のみに設けられていてもよい。また、前端側拡幅部２３，１２３及び後端側拡幅部２２，１２２を設けず、側壁部２０，１２０の前端側及び後端側において、幅を均一の基準幅Ｗ１としてもよい。
【００６０】
・側方拡幅領域２４ｂ，１２４ｂについて、幅が最大となる箇所の前後方向の位置が、左右で互いにずれるものとしたが、左右で一致させるものとしてもよい。また、左側の側方拡幅領域２４ｂ，１２４ｂにおける幅が最大となる箇所を、右側の側方拡幅領域２４ｂ，１２４ｂにおける幅が最大となる箇所よりも前端側としてもよい。
【００６１】
・実施形態で示した後端側拡幅部２２，１２２、前端側拡幅部２３，１２３、及び側方拡幅部２４，１２４以外の拡幅部を備えていてもよい。
【００６２】
・実施形態では、側壁部２０，１２０における幅が均一である領域について、基準幅部２１，１２１とし、その幅を基準幅Ｗ１とした。この点、側壁部２０，１２０では、基準幅Ｗ１よりも幅が狭い領域を設けないため、最小幅領域、最小幅等と称してもよい。
【００６３】
・実施形態で示した後端側最大幅Ｗ２、前端側最大幅Ｗ３、及び側方最大幅Ｗ４について、側壁部２０，１２０の幅の平均値よりも大きくするものとしてもよい。
【００６４】
・各部位の寸法は、実施形態で示したものに限られず、変更が可能である。
【００６５】
・第２実施形態では、陥没部を設ける箇所を２箇所としたが、１箇所でもよい。すなわち、第１陥没部１３２、第２陥没部１３３の一方のみが設けられていてもよい。また、陥没部は３箇所以上設けられていてもよい。
【００６６】
・陥没部を設ける具体的な場所は、第２実施形態に示したものに限られない。すなわち、陥没部を設ける場所は、クッション性を必要とする場所に応じて適宜変更することができる。
【００６７】
・第２実施形態のように陥没部を設けるうえで、各拡幅部を設けないようにしてもよい。
【００６８】
・第２実施形態における陥没部の深さは、均一なものとしなくてもよい。特に、陥没部に挿入する第２クッション部材１４２，１４３について、厚みに変化を持たせて形成することが可能な樹脂、例えばウレタンを採用する場合には、必要なクッション性能に応じて厚みを変化させてもよい。
【００６９】
・第２実施形態における第２クッション部材１４２，１４３は、実施形態で示したものに限られず、他の材料で形成してもよい。例えば、第２クッション部材１４２，１４３として、第１クッション部材１４１と同様に、ポリエステル系の繊維を捲縮加工したものを用いるものとしてもよい。実施形態で述べたように、ポリエステル系の繊維を捲縮加工したものは厚みに差を設けることが困難である。この点、第１陥没部１３２，第２陥没部１３３に、ポリエステル系の繊維を捲縮加工した第２クッション部材１４２，１４３を挿入すれば、ポリエステル系の繊維を捲縮加工した第１クッション部材１４１と、第２クッション部材１４２，１４３とが重ねられることとなる。したがって、ポリエステル系の繊維を捲縮加工したものをクッション部材として用いたとしても、クッション性能に差を設けることができる。
【００７０】
・第１実施形態において、クッション部材４１を覆うようにカバー部材５１を設け、そのカバー部材５１の上にアッパー部材を設けるものとした。この点、アッパー部材を側壁部２０の上面である接着可能面に接着したうえで、アッパー部材と側壁部２０の接着面の上にカバー部材５１を設けるものとしてもよい。第２実施形態についても同様である。
【００７１】
・実施形態では、上底部１１の表面に凹凸を設けないものとしたが、深さが下底部１２まで到達しない複数の孔や、複数の溝等を設けてもよい。こうすることで、通気性を向上させることができる。
【００７２】
・実施形態では、底部材１０について、上側を人間の足裏に対向する中底とし、底側を地面に接触する靴底とした。この点、人間の足裏に対向する中底を備える部材と、地面に接触する部材とを上下方向で貼り合わせることで、底部材を構成するものとしてもよい。
【００７３】
・実施形態では、履物として女性用のパンプスを例示したが、パンプス以外の履物、例えばハイヒール、ブーツ、スニーカー、サンダル等にも適用することができる。また、男性用の履物に対しても同様に適用することができる。
【符号の説明】
【００７４】
１０…底部材、１１…上底部、２０…側壁部、２１…基準幅部、２１ｂ…基準幅領域、２２…後端側拡幅部、２２ｂ…後端側拡幅領域、２３…前端側拡幅部、２３ｂ…前端側拡幅領域、２４…側方拡幅部、２４ｂ…側方拡幅領域、４１…クッション部材、５１…カバー部材、１００…底部材、１１１…上底部、１２０…側壁部、１２１…基準幅部、１２１ｂ…基準幅領域、１２２…後端側拡幅部、１２２ｂ…後端側拡幅領域、１２３…前端側拡幅部、１２３ｂ…前端側拡幅領域、１２４…側方拡幅部、１２４ｂ…側方拡幅領域、１３２…第１陥没部、１３３…第２陥没部、１４１…第１クッション部材、１４２，１４３…第２クッション部材。
【図１】
2018000576.tif 000003
【図２】
2018000576.tif 000004
【図３】
2018000576.tif 000005
【図４】
2018000576.tif 000006
【図５】
2018000576.tif 000007
【図６】
2018000576.tif 000008
【図７】
2018000576.tif 000009
【図８】
2018000576.tif 000010
【図９】
2018000576.tif 000011
【図１０】
2018000576.tif 000012
【図１１】
2018000576.tif 000013
【図１２】
2018000576.tif 000014
【図１３】
2018000576.tif 000015
【図１４】
2018000576.tif 000016
【図１５】
2018000576.tif 000017
【図１６】
2018000576.tif 000018
【図１７】
2018000576.tif 000019
【図１８】
2018000576.tif 000020